【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
導電部を有して対向して配置された第１の物品及び第２の物品を連結し且つ電気的に接続するために用いられる電気コネクタであって、
第１の物品及び第２の物品に係止される単一のハウジングと、
このハウジングに設けられると共に第１の物品の導電部に接続される接続部を有し且つハウジングの高さ方向の端面から外に出て第２の物品の導電部に押圧力をもって接触する接触部を有する接触子とを備え、
ハウジングは、第２の物品に形成された溝形の凹陥部に、ハウジングの高さ方向が凹陥部の深さ方向に一致する向きで嵌合されるように構成され、
ハウジングの幅方向の外壁には、第２の物品の凹陥部の縦壁に深さ方向に延びるように形成されたガイド突起に、ハウジングが第２の物品に係止されるように所定の圧力でもって嵌合する係止溝が高さ方向に形成され、
係止溝の高さ方向の端部では、係止溝の前後幅が末端に向かって広がるように設けられている電気コネクタ。
【請求項２】
ハウジングは、第１の物品に形成された溝形の凹陥部に、ハウジングの高さ方向が凹陥部の深さ方向に一致する向きで嵌合されるように構成され、
係止溝が、第１の物品の凹陥部の縦壁に深さ方向に延びるように形成されたガイド突起に、ハウジングが第１の物品に係止されるように所定の圧力でもって嵌合するように設けられている請求項１記載の電気コネクタ。
【請求項３】
接触子の接続部が、第１の物品の導電部である電線に圧着接続されるバレル又は圧接接続されるスロットである請求項１又は請求項２の電気コネクタ。
【手続補正２】
【補正対象書類名】明細書
【補正対象項目名】全文
【補正方法】変更
【補正の内容】
【発明の詳細な説明】
【発明の名称】電気コネクタ
【技術分野】
【０００１】
本発明は、プリント配線板、電気部品などで例示される２個の物品を電気的に接続するために用いられる電気コネクタの分野に属する。
【背景技術】
【０００２】
２個の物品を電気的に接続するために用いられる電気コネクタとして、例えば雄雌嵌合する一対の圧着コネクタが広く用いられている。その接続形態は、例えば第１の物品から引き出された電線を雄形の圧着コネクタに圧着接続し、第２の物品から引き出された電線を雌形の圧着コネクタに圧着接続し、これら雄形の圧着コネクタと雌形の圧着コネクタを嵌合して接続するというものである。
【発明の開示】
【発明が解決しようとする課題】
【０００３】
このような電気コネクタを用いた接続構造では、コストの低減を図ること、コネクタまわりのコンパクト化を進めることが切望されている。
【０００４】
本発明は、第１の物品に電気的に接続した電気コネクタを第１の物品及び第２の物品に係止し、この電気コネクタの接触子を第２の物品の導電部に接触させることにより、接続構造に用いる電気コネクタの数を減らし且つ接続作業を減らして、接続構造のコスト低減及びコンパクト化を図ることを目的とする。
【課題を解決するための手段】
【０００５】
上記目的を達成するため、請求項１は、導電部を有して対向して配置された第１の物品及び第２の物品を連結し且つ電気的に接続するために用いられる電気コネクタであって、第１の物品及び第２の物品に係止される単一のハウジングと、このハウジングに設けられると共に第１の物品の導電部に接続される接続部を有し且つハウジングの高さ方向の端面から外に出て第２の物品の導電部に押圧力をもって接触する接触部を有する接触子とを備え、ハウジングは、第２の物品に形成された溝形の凹陥部に、ハウジングの高さ方向が凹陥部の深さ方向に一致する向きで嵌合されるように構成され、ハウジングの幅方向の外壁には、第２の物品の凹陥部の縦壁に深さ方向に延びるように形成されたガイド突起に、ハウジングが第２の物品に係止されるように所定の圧力でもって嵌合する係止溝が高さ方向に形成され、係止溝の高さ方向の端部では、係止溝の前後幅が末端に向かって広がるように設けられている。
【０００６】
この電気コネクタの接触子の接続部を第１の物品の導電部に接続し、ハウジングを第１の物品に係止し、２個の物品を所定の位置関係に配置し、ハウジングを第２の物品に係止すれば、接触子の接触部が第２の物品の導電部に押圧力をもって接触し、双方の物品の導電部が接触子を介して電気的に接続される。
【０００７】
接触子の接触部が第２の物品の導電部に押圧力をもって接触するので、接点の接触圧力が確保されて物品間の電気的接続が確実に行われる。この接続構造では雄雌一対の圧着コネクタを用いる従来の接続構造に較べて、用いる電気コネクタの数が１個であるので、電気コネクタの使用数削減によりコストが低減される。圧着作業で例示されるように導電部を電気コネクタに接続する作業が１回で済むので、作業性改善によりコストが低減される。ハウジングを第１の物品及び第２の物品に係止する場合、電気コネクタを介して２個の物品が連結されるので、別途にネジなどの連結手段で２個の物品を連結する必要がなくなり、連結手段の廃止によりコストが低減される。接続構造で用いられる電気コネクタが１個であるので、雄雌一対の圧着コネクタを用いる従来の接続構造に較べて電気コネクタが占有する空間が小さくなり、接続構造がコンパクトになる。また、電気コネクタを物品の凹陥部に嵌合すれば電気コネクタが物品に係止されるので、係止時の作業性がよい。
【０００８】
請求項２の電気コネクタは、請求項１の電気コネクタにおいて、ハウジングは、第１の物品に形成された溝形の凹陥部に、ハウジングの高さ方向が凹陥部の深さ方向に一致する向きで嵌合されるように構成され、係止溝が、第１の物品の凹陥部の縦壁に深さ方向に延びるように形成されたガイド突起に、ハウジングが第１の物品に係止されるように所定の圧力でもって嵌合するように設けられている。
【０００９】
このようにすれば、電気コネクタは第１の物品に対しても凹陥部へのハウジングの嵌合及びガイド突起への係止溝の嵌合で係止される。
【００１０】
請求項３の電気コネクタは、請求項１又は請求項２の電気コネクタにおいて、接触子の接続部が、第１の物品の導電部である電線に圧着接続されるバレル又は圧接接続されるスロットである。
【００１１】
このようにすれば、第１の物品の導電部が電線であれば、電気コネクタの接触子の接続部と第１の物品の導電部との接続が、圧着接続又は圧接接続により行われる。
【発明の効果】
【００１２】
請求項１の電気コネクタは、接点の接触圧力を確保して物品間の電気的接続を確実なものにしながら、電気コネクタの使用数削減及び作業性改善により、接続構造の大幅なコスト低減及びコンパクト化を図ることができる。ハウジングを第１の物品及び第２の物品に係止するので、連結手段の廃止によりコスト低減を図ることができる。
【００１３】
請求項２のようにすれば、電気コネクタは第１の物品に対しても凹陥部へのハウジングの嵌合及びガイド突起への係止溝の嵌合で係止される。
【００１４】
請求項３のようにすれば、第１の物品の導電部が電線であれば、電気コネクタの接触子の接続部と第１の物品の導電部との接続を、圧着接続又は圧接接続により行うことができる。
【発明を実施するための最良の形態】
【００１５】
以下、本発明の電気コネクタの実施の形態を説明する。図１ないし図３は第１の実施形態の電気コネクタ１００を示す。この電気コネクタ１００は、導電部を有して対向して配置された２個の物品を電気的に接続するために用いられる。電気コネクタ１００は、少なくともいずれか一方の物品に係止される単一のハウジング１１０と、このハウジング１１０に設けられた接触子１２０とを備えている。ここでは、第１の物品２１０として電気製品の筐体を例示し、この第１の物品２１０の有する導電部２１１として電線を例示している。また、第２の物品２２０としてプリント配線板を例示し、この第２の物品２２０の有する導電部２２１として導電パッドを例示している。本発明の物品及び導電部の概念はこれによって限定されるものではなく、物品は有体物であればよく、導電部は電気伝導性を有する部材であればよい。
【００１６】
図４に示すように、ハウジング１１０は略直方体に形成されている。便宜上、ハウジング１１０の一辺に沿う方向を前後方向とし、これに略直交する方向を幅方向、前後方向及び幅方向に略直交する方向を高さ方向とする。ハウジング１１０の内部には接触子１２０を収納する部屋であるキャビティ１１１が前後方向に形成されている。キャビティ１１１は、接触子１２０の数だけ幅方向に並べて形成されている。キャビティ１１１の前後方向の一端はハウジング１１０の前後方向の端面に挿入口１１２として開口しており、この挿入口１１２から接触子１２０を挿入するようになっている。ハウジング１１０の高さ方向の端面には、キャビティ１１１に連通する接触窓１１３が開口しており、後述する接触子１２０の接触部をこの接触窓１１３からハウジング１１０の端面の外へ出すようにしている。この接触窓１１３は、キャビティ１１１に接触子１２０を容易に挿入できるように上記挿入口１１２に至るまで形成されている。本発明のハウジングは、このような略直方体の形状に限定されるものではなく、物品に係止可能で接触子を組み込むことができる形状であればよい。
【００１７】
図５に示すように、上記接触子１２０は電気伝導性を有する部材で形成され、この接触子１２０は第１の物品２１０の導電部２１１に接続される接続部１２１と、第２の物品２２０の導電部２２１に押圧力をもって接触する接触部１２２とを備えている。ここでは圧着形の接触子１２０を例示している。従って、接続部１２１は接触子１２０の一方の端部に形成されたバレルであり、このバレルは導電部２１１である電線の芯線を圧着するワイヤバレル１２１ａと、この電線を被覆ごと圧着するインシュレーションバレル１２１ｂとからなる。接触子１２０の他方の端部は、高さ方向からみて短冊形に形成されていると共に、幅方向からみて曲線を描くように湾曲して形成されていて、高さ方向に撓む板バネとして機能するようにしている。この実施形態では、この端部は、高さ方向に略Ｕ字形に折り返されており、この部分が弾性変形するようになっている。さらに、この端部の先端は高さ方向に略逆Ｕ字形に折り曲げられて接触部１２２を形成しており、この接触部１２２が上記ハウジング１１０の接触窓１１３からハウジング１１０の高さ方向の端面の外へ出ている。接触子の形状はこの実施形態により限定されるものではない。接触子は湾曲せずに例えばヘの字形に曲げてもよい。必要に応じて、この接触部１２２に押し出し加工などでディンプル１２２ａが形成され、第２の物品２２０の導電部２２１への接点が確定しやすくなるようにしている。この実施形態では、いわゆるコンタクト・ランスによる係止構造を採用している。すなわち、接触子１２０に突片１２４を設け、この突片１２４をランスとしてハウジング１１０のキャビティ１１１に開口する係止窓１１５に係止している。これとは逆に、いわゆるハウジング・ランスによる係止構造を採用してもよく、そのときにはハウジングに突片を設け、この突片を接触子の係止窓に係止する。また、ランスを用いずに接触子をハウジングに嵌合してもよい。
【００１８】
上記ハウジング１１０は、物品に形成された凹陥部に嵌合することにより物品に係止される。図１ないし図３に示す接続形態の場合、ハウジング１１０は第１の物品２１０に係止される。そのため、第１の物品２１０には溝形の凹陥部２１２が形成されており、ハウジング１１０の幅は、この凹陥部２１２に嵌合可能な寸法に形成されている。電気コネクタ１００は、この凹陥部２１２に、電気コネクタ１００の高さ方向が凹陥部２１２の深さ方向に一致する向きで且つ接触部１２２が凹陥部２１２から露出するように嵌合される。この凹陥部２１２の互いに対向する二つの縦壁２１２ａには、深さ方向に延びるガイド突起２１３がそれぞれ形成されている。ハウジング１１０の幅方向の両方の外壁１１６には、上記ガイド突起２１３が嵌合する係止溝１１４が高さ方向に形成されている。この係止溝１１４とガイド突起２１３とは所定の圧力でもって嵌合し、この嵌合によりハウジング１１０が第１の物品２１０に係止される（図１及び図２の状態）。係止溝１１４の高さ方向の端部では、係止溝１１４の前後幅が末端に向かって広がるように設けられている。ここでは、電気コネクタ１００に係止溝１１４を形成すると共に凹陥部２１２にガイド突起２１３を形成したが、逆に電気コネクタにガイド突起を形成すると共に凹陥部に係止溝を形成してもよい。ここでは凹陥部２１２は溝形としたが、凹陥部は電気コネクタを収納できる形状であればよく、他の任意の形状に形成してもよい。また、係止溝及びガイド突起を設けずに、ハウジングの外壁を凹陥部の縦壁に面接触させ、この嵌合によりハウジングを第１の物品に係止してもよい。これらのことは、以下の接続形態で説明する凹陥部２１２、２２５についても同様にいえることである。
【００１９】
図１ないし図３に示す接続形態の場合、この電気コネクタ１００の接触子１２０の接続部１２１を第１の物品２１０の導電部２１１に接続し、ハウジング１１０を第１の物品２１０に係止し、２個の物品２１０、２２０を所定の位置関係に配置して連結すれば、接触子１２０の接触部１２２が第２の物品２２０の導電部２２１に押圧力をもって接触し、双方の物品２１０、２２０の導電部２１１、２２１が接触子１２０を介して電気的に接続される。２個の物品２１０、２２０を所定の位置関係に配置して連結する方法は、例えば第１の物品２１０である電気製品の筐体に、第２の物品２２０であるプリント配線板を組み付けてネジ止め等で連結することにより行われる。
【００２０】
図６及び図７は、上記第１実施形態の電気コネクタ１００の別の接続形態を示す。この場合、ハウジング１１０は第２の物品２２０に係止される。そのため、第２の物品２２０には溝形の凹陥部２２５が形成されており、ハウジング１１０の幅は、この凹陥部２２５に嵌合可能な寸法に形成されている。第２の物品２２０の導電部２２１は凹陥部２２５の底面に設けられている。電気コネクタ１００は、この凹陥部２２５に、電気コネクタ１００の高さ方向が凹陥部２２５の深さ方向に一致する向きで且つ接触部１２２が凹陥部２２５の底面に対向するように嵌合される。この凹陥部２２５の互いに対向する二つの縦壁２２５ａには、ハウジング１１０の係止溝１１４に嵌合するガイド突起２２６がそれぞれ深さ方向に延びて形成されている。この係止溝１１４とガイド突起２２６とは所定の圧力でもって嵌合し、この嵌合によりハウジング１１０が第２の物品２２０に係止される。係止溝１１４の高さ方向の端部では、係止溝１１４の前後幅が末端に向かって広がるように設けられている。
【００２１】
この接続形態の場合、この電気コネクタ１００の接触子１２０の接続部１２１を第１の物品２１０の導電部２１１に接続し、ハウジング１１０を第２の物品２２０に係止すれば、接触子１２０の接触部１２２が第２の物品２２０の導電部２２１に押圧力をもって接触し、双方の物品２１０、２２０の導電部２１１、２２１が接触子１２０を介して電気的に接続される。
【００２２】
図８は、上記第１実施形態の電気コネクタ１００の更に別の接続形態を示す。この場合、ハウジング１１０は第１の物品２１０及び第２の物品２２０に係止される。そのため、第１の物品２１０には溝形の凹陥部２１２が、第２の物品２２０には溝形の凹陥部２２５がそれぞれ形成されており、ハウジング１１０の幅は、この凹陥部２１２、２２５に嵌合可能な寸法に形成されている。第２の物品２２０の導電部２２１は凹陥部２２５の底面に設けられている。電気コネクタ１００は、凹陥部２１２に、電気コネクタ１００の高さ方向が凹陥部２１２の深さ方向に一致する向きで且つ接触部１２２が凹陥部２１２から露出するように嵌合されると共に、凹陥部２２５に、電気コネクタ１００の高さ方向が凹陥部２２５の深さ方向に一致する向きで且つ接触部１２２が凹陥部２２５の底面に対向するように嵌合される。この凹陥部２１２、２２５にはガイド突起２１３、２２６がそれぞれ形成され、係止溝１１４とガイド突起２１３、２２６とは所定の圧力でもって嵌合し、この嵌合によりハウジング１１０が第１の物品２１０及び第２の物品２２０に係止される。係止溝１１４の高さ方向の端部では、係止溝１１４の前後幅が末端に向かって広がるように設けられている。
【００２３】
この接続形態の場合、この電気コネクタ１００の接触子１２０の接続部１２１を第１の物品２１０の導電部２１１に接続し、ハウジング１１０を第１の物品２１０及び第２の物品２２０に係止すれば、接触子１２０の接触部１２２が第２の物品２２０の導電部２２１に押圧力をもって接触し、双方の物品２１０、２２０の導電部２１１、２２１が接触子１２０を介して電気的に接続される。
【００２４】
いずれの接続形態においても、接触子１２０の接触部１２２が第２の物品２２０の導電部２２１に押圧力をもって接触するので、接点の接触圧力が確保されて物品間の電気的接続が確実に行われる。この接続構造では雄雌一対の圧着コネクタを用いる従来の接続構造に較べて、用いる電気コネクタの数が１個であるので、電気コネクタの使用数削減によりコストが低減される。圧着作業で例示されるように導電部２１１を電気コネクタ１００に接続する作業が１回で済むので、作業性改善によりコストが低減される。ハウジング１１０を第１の物品２１０及び第２の物品２２０に係止する場合、電気コネクタ１００を介して２個の物品２１０、２２０が連結されるので、別途にネジなどの連結手段で２個の物品２１０、２２０を連結する必要がなくなり、連結手段の廃止によりコストが低減される。接続構造で用いられる電気コネクタが１個であるので、雄雌一対の圧着コネクタを用いる従来の接続構造に較べて電気コネクタが占有する空間が小さくなり、接続構造がコンパクトになる。
【００２５】
本発明は、電気コネクタのハウジングを物品に係止する構造としてあらゆる形態を含む。しかし、上記実施形態のように、ハウジング１１０を、物品２１０及び／又は２２０に形成された凹陥部２１２及び／又は２２５に嵌合するように形成し、この嵌合によりハウジング１１０を物品２１０及び／又は２２０に係止するようにすれば、電気コネクタ１００を物品２１０及び／又は２２０の凹陥部２１２及び／又は２２５に嵌合すれば電気コネクタ１００が物品２１０及び／又は２２０に係止されるので、係止時の作業性がよい。
【００２６】
本発明は、接触子の接続部を物品の導電部に接続する構造としてあらゆる形態を含む。そのなかで、上記実施形態は、接触子１２０を圧着形とした場合を例示することができた。
【００２７】
以下、他の実施形態を説明する。これら他の実施形態の説明として基本的に第１実施形態の説明を符号と共にそのまま引用する。その上で、第１実施形態と異なる構成について追加説明することにする。
【００２８】
図９及び図１０は第２実施形態の電気コネクタ１００を示す。この第２実施形態の電気コネクタ１００のハウジング１１０は、物品に形成された凹陥部に挿入可能に形成されると共に、ハウジング１１０の凹陥部への挿入時に弾性変形して凹陥部の縦壁を押圧する翼片１１７を有しており、この翼片１１７の押圧によりハウジング１１０が物品に係止される。この実施形態では、ハウジング１１０における幅方向の両端にある二つの外壁１１６にそれぞれ翼片１１７を設けている。図９及び図１０に示す接続形態の場合、ハウジング１１０は第１の物品２１０に係止される。そのため、第１の物品２１０に凹陥部２１２が形成され、ハウジング１１０は凹陥部２１２に挿入可能に形成されると共に、ハウジング１１０の凹陥部２１２への挿入時に弾性変形して凹陥部２１２の縦壁２１２ａを押圧する翼片１１７を有している。電気コネクタ１００は、この凹陥部２１２に、電気コネクタ１００の高さ方向が凹陥部２１２の深さ方向に一致する向きで且つ接触部１２２が凹陥部２１２から露出するように嵌合される。この接続形態における電気コネクタ１００による物品２１０、２２０の電気的接続方法は、図１ないし図３の接続形態の場合と同様である。
【００２９】
図１１は、上記第２実施形態の電気コネクタ１００の別の接続形態を示す。この接続形態の場合、ハウジング１１０は第２の物品２２０に係止される。そのため、第２物品２２０に凹陥部２２５が形成され、ハウジング１１０は凹陥部２２５に挿入可能に形成されると共に、ハウジング１１０の凹陥部２２５への挿入時に弾性変形して凹陥部２２５の縦壁２２５ａを押圧する翼片１１７を有している。電気コネクタ１００は、この凹陥部２２５に、電気コネクタ１００の高さ方向が凹陥部２２５の深さ方向に一致する向きで且つ接触部１２２が凹陥部２２５の底面に対向するように嵌合される。この接続形態における電気コネクタ１００による物品２１０、２２０の電気的接続方法は、図６及び図７の接続形態の場合と同様である。
【００３０】
第２実施形態のようにすれば、いずれの接続形態においても、第１実施形態の場合と同様の作用及び効果が得られることに加え、簡単な構造でもって高い係止力が得られる。しかも、凹陥部２１２、２２５の内寸に生じる寸法誤差が翼片１１７の撓みで吸収されるので、物品２１０、２２０及び電気コネクタ１００の歩留まりが向上する。ハウジング１１０の幅方向の両端に翼片１１７を設けたときには、翼片１１７の弾性復原力がハウジング１１０の幅方向の両端に作用するので、係止後に電気コネクタ１００が物品２１０、２２０に安定的に保持されて好ましい。
【００３１】
図１２は第３実施形態の電気コネクタ１００を示す。この第３実施形態の電気コネクタ１００には、ハウジング１１０にロック爪１１８が設けられ、ロック爪１１８を物品に係止することでハウジング１１０が物品に係止される。この実施形態の場合、ロック爪１１８は、ハウジング１１０における幅方向の両端において高さ方向に延びている。ロック爪１１８の先端には幅方向に向くフック１１８ａが設けられ、このフック１１８ａが物品に形成されたロック孔を通ってその周縁に掛かる。図１３に示す接続形態の場合、ハウジング１１０は第２の物品２２０に係止される。そのため、第２物品２２０にロック孔２２２を形成し、ロック爪１１８は、ハウジング１１０において接触部１２２の露出する面から突き出るように延びている。電気コネクタ１００は、接触部１２２が第２の物品２２０の導電部２２１に対向する向きで支持されて、ロック爪１１８が第２の物品２２０に係止される。この接続形態における電気コネクタ１００による物品２１０、２２０の電気的接続方法は、図６及び図７の接続形態の場合と同様である。
【００３２】
図１４は、上記第３実施形態の電気コネクタ１００の別の接続形態を示す。この接続形態の場合、ハウジング１１０は第１の物品２１０に係止される。そのため、第１の物品２１０にロック孔２１５を形成し、ロック爪１１８は、ハウジング１１０において接触部１２２の露出する面と高さ方向に反対側の面から突き出るように延びている。電気コネクタ１００は、接触部１２２と高さ方向に反対側の面が第１の物品２１０に対向する向きで支持されて、ロック爪１１８が第１の物品２１０に係止される。この接続形態における電気コネクタ１００による物品２１０、２２０の電気的接続方法は、図１ないし図３の接続形態の場合と同様である。
【００３３】
第３実施形態のようにすれば、いずれの接続形態においても、第１実施形態の場合と同様の作用及び効果が得られることに加え、簡単な構造でもって高い係止力が得られる。ハウジング１１０の幅方向の両端にロック爪１１８を設けたときには、ロック爪１１８の係止力がハウジング１１０の幅方向の両端に作用するので、係止後に電気コネクタ１００が物品２１０、２２０に安定的に保持されて好ましい。
【００３４】
本発明は、以上説明した実施形態の特徴を組み合わせた実施形態を全て含む。１つのハウジング１１０を第１の物品２１０及び第２の物品２２０に係止する形態には、第１実施形態の係止形態、第２実施形態の係止形態、第３実施形態の係止形態を組み合わせることができ、本発明はその全ての実施形態を全て含む。一例として図１５に示したのは、１つのハウジング１１０を第１の物品２１０に第１実施形態の係止形態で係止すると共に、第２の物品２２０に第３実施形態の係止形態で係止した実施形態である。この実施形態の場合、図１２に示すように、必要に応じてロック爪１１８の外面に係止溝１１４を設け、第１の物品２１０にガイド突起２１３を設ける。こうすれば、ハウジング１１０と凹陥部２１２との間の嵌合力を高めることができる。このように１つのハウジング１１０を第１の物品２１０及び第２の物品２２０に係止する形態とした場合、第１実施形態において説明したように、１つのハウジング１１０を第１の物品２１０又は第２の物品２２０に係止する形態で得られる作用及び効果に加え、電気コネクタ１００を介して２個の物品２１０、２２０が連結されるので、別途にネジなどの連結手段で２個の物品２１０、２２０を連結する必要がなくなり、連結手段の廃止によりコストが低減される。
【００３５】
図１６は第４実施形態を示す。第４実施形態は以上の実施形態のいずれにも適用が可能である。この第４実施形態の電気コネクタ１００は、第１実施形態ないし第３実施形態の電気コネクタ１００に較べて、接触子１２０が圧接形である点が相違しており、それ以外の構成は同一である。従って、接続部１２１は接触子１２０の前後方向の一方の端部に形成されたスロットであり、このスロットに第１の物品２１０の導電部２１１である電線の芯線を圧接するようにしている。
【００３６】
第４実施形態のようにすれば、この電気コネクタ１００の接触子１２０を第１の物品２１０の導電部２１１である電線に接続する場合、接触子１２０の接続部１２１であるスロットにおいて電線に圧接接続する。
【００３７】
本発明は、以上説明した実施形態以外にも種々の実施形態を含む。例を挙げれば、接着剤を用いてハウジングを物品に係止する実施形態、ベルクロファスナーに例示される、摩擦力で係止するテープ等を用いてハウジングを物品に係止する実施形態、第１の物品の導電部を導電パッドとし、電気コネクタを第１の物品に係止しておいて接触子をこの導電パッドに接触させることで電気的接続を果たす実施形態が含まれる。
【図面の簡単な説明】
【００３８】
【図１】第１実施形態の電気コネクタを第１の物品に係止して用いたときの断面図である。
【図２】第１実施形態の電気コネクタを第１の物品に係止して用いたときの斜視図である。
【図３】第１実施形態の電気コネクタを第１の物品に係止するときの斜視図である。
【図４】第１実施形態の電気コネクタのハウジングを示す。（ａ）は平面図、（ｂ）は正面図、（ｃ）は底面図である。
【図５】第１実施形態の電気コネクタの接触子を示す斜視図である。
【図６】第１実施形態の電気コネクタを第２の物品に係止して用いたときの断面図である。
【図７】第１実施形態の電気コネクタを第２の物品に係止するときの斜視図である。
【図８】第１実施形態の電気コネクタを第１の物品及び第２の物品に係止して用いたときの断面図である。
【図９】第２実施形態の電気コネクタを第１の物品に係止するときの斜視図である。
【図１０】第２実施形態の電気コネクタを第１の物品に係止して用いたときの正面図である。
【図１１】第２実施形態の電気コネクタを第２の物品に係止するときの斜視図である。
【図１２】第３実施形態の電気コネクタの斜視図である。
【図１３】第３実施形態の電気コネクタを第２の物品に係止して用いたときの正面図である。
【図１４】第３実施形態の電気コネクタを第１の物品に係止して用いたときの正面図である。
【図１５】第３実施形態の電気コネクタを第１の物品及び第２の物品に係止して用いたときの正面図である。
【図１６】第４実施形態の電気コネクタを分解して示す斜視図である。
【符号の説明】
【００３９】
１００  電気コネクタ
１１０  ハウジング
１１６  外壁
１１７  翼片
１１８  ロック爪
１２０  接触子
１２１  接続部
１２２  接触部
２１０  第１の物品
２１１  導電部
２１２  凹陥部
２１２ａ  縦壁
２２０  第２の物品
２２１  導電部
２２５  凹陥部
２２５ａ  縦壁